(57)【特許請求の範囲】
【請求項１】
殺虫剤などの噴霧剤が圧縮充填されたボンベと、潰れずに屈折可能な材質で形成され、ボンベに接続されてボンベから噴射された噴霧剤を圧送する移送チューブと、伸縮構造を有して内部に移送チューブがスライド可能に配設される中空のポールと、ポールの先端部に取付けられて移送チューブに接続されるとともに、移送チューブの押引で噴霧剤の噴霧方向が可変されるノズルとを備えたことを特徴とする噴霧装置。
【請求項２】
請求項１の噴霧装置において、ノズルは弾性部材によってポールの先端部に支持せしめられ、移送チューブの引張りで弾性部材の弾性に抗してノズルの噴霧方向が可変され、移送チューブの引張り解除で弾性部材の弾性によりノズルの噴霧方向がポールの軸線に沿った直進姿勢に復帰されることを特徴とする噴霧装置。
【請求項３】
請求項２の噴霧装置において、弾性部材はポールの先端部に固定された取付座とノズルとの間にポールの軸線と平行に掛渡しされ、移送チューブはノズルに固定されて弾性部材と少しの間隔を介して弾性部材と平行に配設されて取付座を貫通していることを特徴とする噴霧装置。
【請求項４】
請求項３の噴霧装置において、ノズルの噴霧口は弾性部材の掛渡線の延長線上に位置していることを特徴とする噴霧装置。
【請求項５】
請求項３または４の噴霧装置において、ノズルと取付座との対面する面にそれぞれ移送チューブを中心として掘込まれたテーパ溝が設けられていることを特徴とする噴霧装置。
【請求項６】
請求項１〜５のいずれかの噴霧装置において、ポールの基端部に移送チューブの押引位置を保持するロック機構が設けられていることを特徴とする噴霧装置。
【発明の詳細な説明】
【０００１】
【発明の属する技術分野】
本発明は、噴霧地点から離れた位置で噴霧操作することができるようにした簡易タイプの噴霧装置に係る技術分野に属する。
【０００２】
【従来の技術】
最近、家庭園芸に利用される殺虫剤等の各種の薬剤等が、噴霧剤としてボンベに圧縮充填されて提供されるようになってきている。このボンベは、噴射ボタンを押すことにより噴霧剤を噴射することができて操作が容易であるものの、噴射された噴霧剤が手元で拡散してしまうため噴霧剤の性質によっては危険である。また、蜂等の危険な虫類を殺虫する際には、噴霧地点から離れた遠隔位置での噴霧操作が要求される。
【０００３】
このため、ボンベを利用して噴霧地点から離れた位置で噴霧操作することができるようにした簡易タイプの噴霧装置の開発が切望されている。
【０００４】
従来、噴霧装置としては、例えば、噴霧剤が圧縮充填されたボンベと、先端部にボンベの取付部とボンベの噴射ボタンを押操作する操作片とが設けられた伸縮構造を有するポールと、ポールの先端部の操作片からポールの基端部まで配設された操作ワイアとを備えたものが知られている。
【０００５】
この従来の噴霧装置は、ポールの取付部にボンベを装着してポールを伸長させ、ボンベの噴射ボタンを操作ワイアを介して操作片で押操作して噴霧剤を噴射させるもので、ポールの伸長した長さ分噴霧地点から離れた位置で噴霧操作することができるようになっている。
【０００６】
【発明が解決しようとする課題】
前述の従来の噴霧装置では、噴霧剤の噴霧方向が固定されているため、噴霧剤の噴霧方向を変更するにはポールを起伏，回転等させなければならず、噴霧剤の噴射方向の制御が面倒であるという問題点がある。
【０００７】
本発明の目的は、このような問題点を考慮してなされたもので、噴霧剤の噴射方向を簡単に制御することのできる噴霧装置を提供することにある。
【０００８】
【課題を解決するための手段】
前述の課題を解決するため、本発明に係る噴霧装置は、次のような手段を採用する。
【０００９】
上記目的は、殺虫剤などの噴霧剤が圧縮充填されたボンベと、潰れずに屈折可能な材質で形成され、ボンベに接続されてボンベから噴射された噴霧剤を圧送する移送チューブと、伸縮構造を有して内部に移送チューブがスライド可能に配設される中空のポールと、ポールの先端部に取付けられて移送チューブに接続されるとともに、移送チューブの押引で噴霧剤の噴霧方向が可変されるノズルとを備えたことにより達成される。
【００１０】
この手段では、手元のボンベから噴射された噴霧剤が、移送チューブを介してノズルから噴霧される。ノズルは、移送チューブの押引という簡単な操作で噴霧方向が可変される。なお、押引された移送チューブは、屈折するが潰れないで噴霧剤の移送を確保する。
【００１１】
上記目的は、請求項１の噴霧装置において、ノズルは弾性部材によってポールの先端部に支持せしめられ、移送チューブの引張りで弾性部材の弾性に抗してノズルの噴霧方向が可変され、移送チューブの引張り解除で弾性部材の弾性によりノズルの噴霧方向がポールの軸線に沿った直進姿勢に復帰されることにより達成される。
【００１２】
この手段では、移送チューブの引張り操作のみでノズルの噴霧方向が可変される。移送チューブの引張りの解除は、弾性部材の弾性による移送チューブの押出となって、ノズルの噴霧方向が特定方向へ復帰される。
【００１３】
上記目的は、請求項２の噴霧装置において、弾性部材はポールの先端部に固定された取付座とノズルとの間にポールの軸線と平行に掛渡しされ、移送チューブはノズルに固定されて弾性部材と少しの間隔を介して弾性部材と平行に配設されて取付座を貫通していることにより達成される。
【００１４】
この手段では、移送チューブの引張りで弾性部材を湾曲させてノズルを傾倒させることにより、ノズルの噴霧方向が可変される。
【００１５】
上記目的は、請求項３の噴霧装置において、ノズルの噴霧口は弾性部材の掛渡線の延長線上に位置していることにより達成される。
【００１６】
この手段では、ノズルの噴霧口と弾性部材とが剛体化される。
【００１７】
上記目的は、請求項３または４の噴霧装置において、ノズルと取付座との対面する面にそれぞれ移送チューブを中心として掘込まれたテーパ溝が設けられていることにより達成される。
【００１８】
この手段では、引張られた移送チューブがテーパ溝に案内されて湾曲する。
【００１９】
上記目的は、請求項１〜５のいずれかの噴霧装置において、ポールの基端部に移送チューブの押引位置を保持するロック機構が設けられていることにより達成される。
【００２０】
この手段では、移送チューブの押引位置をロック機構で保持することにより、ノズルの噴霧方向が固定される。
【００２１】
【発明の実施の形態】
以下、本発明に係る噴霧装置の実施の形態を図面に基いて説明する。
【００２２】
図１〜図６は、本発明に係る噴霧装置の実施の形態（１）を示すものである。
【００２３】
この実施の形態では、図１に示すように、ボンベ１，移送チューブ２，ポール３，ノズル４，取付座５，弾性部材６，ノズルカバー７，カバー取付部８，ロック機構９，滑止チューブ１０の各部で構成されている。
【００２４】
ボンベ１は、図１に示すように、殺虫剤等の噴霧剤が圧縮充填されたもので、一般家庭向けとして提供されているエアゾルや圧力式噴霧器（手押し蓄圧タイプ，電池によるモータタイプなど）の比較的小型で携帯可能なものが採用される。
【００２５】
移送チューブ２は、ポリエチレン（ＥＰ）やポリプロピレン（ＰＰ）等のように、耐薬品性を有して潰れずに屈折される材質のものによって構成される。この移送チューブ２は、図２〜図４に詳細に示されるように、噴霧地点から噴霧操作位置までの距離に充分に対応可能な長さが確保され、一端がノズル４に接続されてポール３の内部に遊挿され、他端がポール３の基端部から引出されてボンベ１に接続される。
【００２６】
ポール３は、図２に詳細に示されているように、内部に移送チューブ２をスライド可能に配設することのできる中空形からなるもので、先端側ポール３ａ，後端側ポール３ｂの２重管からなる伸縮構造を有している。この伸縮構造は、先端側ポール３ａを先端部の外径よりも後端部の外径を大きくしたテーパ管として、後端側ポール３ｂから延出させた先端側ポール３ａの後端外面部を、後端側ポール３ｂの先端内面部に圧接させて伸長姿勢を保持することができるようになっている。なお、後端側ポール３ｂの基端部（後端部）には、図４に示すように、先端側ポール３ａの抜脱を防止する栓３ｃが取付けられている。このポール３については、軽量で丈夫な例えば、既存の釣竿等を採用することも可能である。
【００２７】
ノズル４は、図２に詳細に示されるように、噴射口４ａを有するキャップ４ｂが、取付ネジ４ｃによって台座４ｄの上面に交換可能に螺合取付けされてなる。取付ネジ４ｃの内部に設けられている通孔４ｅには、パッキング４ｆを介して移送チューブ２の先端部が接続されている。台座４ｄの取付ネジ４ｃから少し離れた位置には、台座４ｄを貫通した移送チューブ２を固定する固定ナット４ｇが上面側に螺合され、固定ナット４ｇから下面側に向けて拡開したテーパ溝４ｈが設けられている。また、台座４ｄの下面の取付ネジ４ｃの正反対側には、弾性部材６を装着する取付穴４ｉが掘設されている。取付穴４ｉには、弾性部材６を側方から抜止め固定する固定ネジ４ｊが設けられている。このノズル４については、耐腐食性のあるステンレスが形成材料として選択される。
【００２８】
取付座５は、図２に詳細に示されるように、ノズル４の台座４ｄにほぼ対応した本体部５ａの下面側に、固定筒部５ｂが設けられてなる。本体部５ａの上面には、ノズル４のテーパ溝４ｈに対応したテーパ溝５ｃが設け、このテーパ溝５ｃから固定筒部５ｂには、移送チューブ２の外径よりも大きな径の配設孔５ｄが貫通形成されている。本体部５ａの上面の上面のテーパ溝５ｃから少し離れた位置には、ノズル４の取付穴４ｉに対応した弾性部材６を装着する取付穴５ｅが掘設されている。取付穴５ｅには、弾性部材６を側方から抜止め固定する固定ネジ５ｆが設けられている。固定筒部５ｂの内側は、ポール３の先端側ポール３ａの先端部に固定されている。固定筒部５ｂの外側は、ポール３の後端側ポール３ｂの先端部に嵌合着脱されるように構成されている。なお、固定筒部５ｂの外側には、ポール３の後端側ポール３ｂの先端部へ圧接するパッキング５ｇが取付けられており、この取付座５については、耐腐食性のあるアルミニウムやステンレスなどが形成材料として選択される。
【００２９】
弾性部材６は、コイルスプリングからなるもので、ノズル４の取付穴４ｉと取付座５の取付穴５ｅとの間に掛渡されている。弾性部材６の両端部は、図２に詳細に示されているように、固定ネジ４ｊ，５ｆによって、ノズル４の台座４ｄと取付座５の本体部５ａとにそれぞれ抜止め固定されている。弾性部材６の軸中心とノズル４のキャップ４ｂ（噴射口４ａ）の軸中心とは、ポール３の軸中心（移送チューブ２の配設中心）を通る直線Ｘから少し離れた平行な共通の直線Ｙ上に位置している。この弾性部材６については、耐腐食性のあるステンレスなどが形成材料として選択される。
【００３０】
ノズルカバー７は、図２に詳細に示されるように、合成樹脂材等で天板を有する筒形に形成されてなるもので、ノズル４，取付座５を覆ってポール３の後端側ポール３ｂの先端部付近に設けられているカバー取付部８に嵌脱自在に嵌着せしめられ、ノズル４，取付座５に土砂などが付着するのを防止し、更にノズル部を保護する。又、ノズルカバー７に天板を設けずに開口することにより、ノズルカバー７を天地の区別なくカバー取付部８に嵌脱することができるようにしてもよい。
【００３１】
カバー取付部８は、図１，図２に詳細に示されるように、ポール３の後端側ポール３ｂの先端部に固定されたスぺーサ８ａと、後端側ポール３ｂの先端部から少し後端部よりに固定されたスぺーサ付ストッパ８ｂとからなる。スぺーサ８ａの外径は、ノズルカバー７の内径とほぼ一致している。スぺーサ付ストッパ８ｂの外径は、ノズルカバー７の内径とほぼ一致した部分と僅かに大きな部分とからなる。
【００３２】
ロック機構９は、図４に詳細に示されるように、外筒９ａの内部にバネ９ｂで一定方向へ弾圧される内筒９ｃを収容してなる。外筒９ａには、移送チューブ２が挿通される円形または円形に近い長孔形の挿通孔９ｄが設けられており、又内筒９ｃには、移送チューブ２が挿通される長孔形の挿通孔９ｅが設けられている。両挿通孔９ｄ，９ｅは、バネ９ｂの弾性に抗した内筒９ｃの突起９ｆの押操作により、移送チューブ２の移動を許容する孔合わせがなされ、又内筒９ｃの突起９ｆの押操作の解除のバネ９ｂの弾性により移送チューブ２の移動を阻止する孔位相がなされるようになっている。このロック機構９は、ポール３の後端側ポール３ｂの後端部（基端部）から引出された移送チューブ２に装着される。
【００３３】
１０は滑り止めチューブであって、この滑り止めチューブ１０は、加圧で変形する柔軟性と、加圧で移送チューブ２に滑らずに圧接する摩擦性とを有するゴム系等の材質のものによって構成されている。又、この滑止チューブ１０は、移送チューブ２の所要部位の外側に嵌装してあり、ロック機構９の通孔９ｄ，９ｅ部が挿通されるようにしてある。
【００３４】
この実施の形態を使用しない状態では、ポール３が短縮されてポール３の先端側にノズルカバー７が装着される。
【００３５】
ノズルカバー７が装着された状態では、図２に示すように、ノズル４全体がノズルカバー７によって覆われているため、ゴミ等の付着によるノズル４（特に、噴霧口噴射口４ａ）の汚損，目詰まりや損傷が防止される。また、取付座５のテーパ溝５ｃ，配設孔５ｄもノズルカバー７によって覆われているため、ポール３の先端側ポール３ａの先端部からのゴミ等の侵入が防止され、ポール３の伸縮に不具合を生じさせることもない。
【００３６】
また、ポール３が短縮された状態では、取付座５のパッキング５ｇがポール３の後端側ポール３ｂの先端部に圧接しているため、ポール３の先端側ポール３ａが不測に振出されて伸長することがない。
【００３７】
この実施の形態を使用するには、図５に示すように、ノズルカバー７を外してポール３を伸長させる。このとき、ロック機構９の内筒９ｃの突起９ｆを押操作して、外筒９ａの挿通孔９ｄと内筒９ｃの挿通孔９ｅとを孔合わせすると、ノズル４の台座４ｄに固定されている移送チューブ２が、ポール３の伸長により追随してポール３の内部に引込まれる。また、伸長したポール３は、先端側ポール３ａの後端部を後端側ポール３ｂの先端部に圧接させることにより、伸長状態が保持される。
【００３８】
伸長したポール３から引出されている移送チューブ２は、作業者Ｍの腰付近に装備されたボンベ１に接続される。このとき、必要に応じて、移送チューブ２とボンベ１とをニップル類を介して接続する。
【００３９】
その後、すずめ蜂の巣等の噴霧対象Ｔにノズル４の噴霧口４ａを向けることになる。このとき、ノズル４の噴霧口４ａがポール３の軸中心の直線Ｘと平行する直線Ｙの延長方向を向いているが、噴霧対象Ｔの照準に際してノズル４（特に、キャップ４ｂ）が噴霧対象Ｔ等に誤って衝突することがあっても、キャップ４ｂ（噴霧口４ａ）とノズル４全体を支持する弾性部材６とが直線Ｙ上に位置して剛体化されているため、ノズル４の噴霧口４ａの向きが簡単に変化することはない。
【００４０】
ノズル４の噴霧口４ａを噴霧対象Ｔに照準した後には、ボンベ１のボタン，レバー等を操作して噴霧剤を噴射させ、噴霧剤を移送チューブ２の内部からノズル４に移送して噴霧口４ａから噴霧する。
【００４１】
また、噴霧対象Ｔが照準し難い位置にある場合には、移送チューブ２を引張することにより、弾性部材６の弾性に抗してノズル４の台座４ｄを傾倒させて、ノズル４の噴霧口４ａの向きを変化させることができる（図３，図６参照）。このノズル４の台座４ｄの傾倒は、移送チューブ２，ノズル４の台座４ｄ，弾性部材６のてこの原理と弾性部材６の弾性変形とにより円滑になされる。従って、移送チューブ２を引張という簡単な操作で噴霧対象Ｔを正確に照準することができる。このとき、移送チューブ２は、その材質の特性から、ノズル４の台座４ｄの傾倒に伴って屈折するものの潰れることはない。従って、噴霧剤の移送に支障が生ずることはない。また、ノズル４のテーパ溝４ｈと取付座５のテーパ溝５ｃとは、移送チューブ２の湾曲を容易にして折曲がりを防止する。
【００４２】
なお、このノズル４の噴霧口４ａの変化された向きは、ロック機構９をポール３の栓３ｃに当て内筒９ｃの突起９ｆを押操作を解除して、外筒９ａの挿通孔９ｄと内筒９ｃの挿通孔９ｅとを孔位相させることにより保持される。このノズル４の噴霧口４ａの向きの変化は、移送チューブ２の引張量によって無段階に調整される。また、ロック機構９から移送チューブ２に掛かる弾性部材６の弾性の応力は、滑止チューブ１０で吸収されることになる。従って、ロック機構９によって移送チューブ２が損傷して噴霧剤が漏出するようなことはない。
【００４３】
噴霧剤の噴霧作業の終了後には、ロック機構９の内筒９ｃの突起９ｆを押操作して、外筒９ａの挿通孔９ｄと内筒９ｃの挿通孔９ｅとを孔合わせすることにより、弾性部材６の弾性の付勢で移送チューブ２をポール３の内部に引込みノズル４の噴霧口４ａの向きを元の状態に自動的に復帰させることができる。
【００４４】
その後には、ポール３を短縮させてポール３の先端側にノズルカバー７を装着することになる。
【００４５】
図７は、本発明に係る噴霧装置の実施の形態（２）を示すものである。
【００４６】
この実施の形態では、前述の実施の形態（１）のロック機構９を変更したものである。
【００４７】
この実施の形態のロック機構１１は、前述の実施の形態（１）のポール３の栓３ｃを改造して後端側ポール３ｂの後端部（基端部）に抜止め回転可能に取付けられた回転リング１１ａと、回転リング１１ａに螺合し一部後端側ポール３ｂから突出し大部分が後端側ポール３ｂの内部をスライドするスライダ１１ｂと、スライダ１１ｂに設けられ後端側ポール３ｂの内周壁に当接してスライダ１１ｂのスライドを円滑にするガイド１１ｃと、後端側ポール３ｂの軸方向に延びて貫通形成されたガイド溝１１ｄと、ガイド１１ｃに固定されてガイド溝１１ｄに嵌合しスライダ１１ｂ，ガイド１１ｃを回り止めする突起１１ｅと、スライダ１１ｂの後端側ポール３ｂから突出した端部に内外を貫通して螺合された蝶ネジ１１ｆとを備えたものである。
【００４８】
この実施の形態では、スライダ１１ｂの内部に移送チューブ２を配設し、蝶ネジ１１ｆで滑止チューブ１０を介して移送チューブ２を固定しておいて、ノズル４の噴霧口４ａの向きを変化させることになる。
【００４９】
即ち、回転リング１１ａを回転させると、スライダ１１ｂがポール３の後端側ポール３ｂの軸方向にスライドして移送チューブ２を押引することになる。この移送チューブ２の押引は、前述の実施の形態（１）での説明のように、ノズル４の噴霧口４ａの向きの変化を無段階に調整することになる。
【００５０】
なお、この実施の形態のロック機構１１は、ノズル４の噴霧口４ａの向きの変化を回転リング１１ａの回転調整で行うため、前述の実施の形態（１）のロック機構９よりも微調整が可能である。
【００５１】
図８，図９は、本発明に係る噴霧装置の実施の形態（３）を示すものである。
【００５２】
この実施の形態は、前述の実施の形態（１）のノズル４のキャップ４ｂを直線Ｘ上に位置させ、前述の実施の形態（１）のノズル４の取付ネジ４ｃ，固定ナット４ｇが共通一体化されている。
【００５３】
この実施の形態によると、ノズル４の噴霧口４ａの向きの変化に係る作用，効果を変更することなく、ノズル４の構造が簡素化される。
【００５４】
以上、図示した実施の形態の外に、ノズル４の噴霧口４ａの向きの自動復帰が望めず、ノズル４の噴霧口４ａの向きの変化を移送チューブの押引の双方で行わなければならないが、弾性部材６に代えて非弾性のフレキシブル材でノズル４を支持することも可能である。
【００５５】
【発明の効果】
上述のように本発明の構成によれば、次のような効果が得られる。
（ａ）本発明に係る噴霧装置は、移送チューブを押引するだけでノズルの向きを変化させることができるため、噴霧剤の噴射方向を簡単に制御することができる。
（ｂ）請求項２として、移送チューブの引張のみノズルの向きを変化させることができ、移送チューブの引張の解除でノズルの向きを元に復帰させることができるため、噴霧剤の噴射方向をより簡単に制御することができる効果がある。
（ｃ）請求項３として、移送チューブ，ノズル，弾性部材のてこの原理と弾性部材の弾性変形とにより、ノズルの向きの変化が円滑になされる効果がある。
（ｄ）請求項４として、ノズルの噴出口と弾性部材とが近接して剛体を形成するため、ノズルの噴出口が噴霧対象等に衝突しても簡単に向きが変化せず、取扱い性の向上が図れる。
（ｅ）請求項５として、ノズルの噴霧口の向きの変化に伴う移送チューブの屈折がテーパ溝の内部でなされるため、移送チューブの湾曲屈折が容易になり折曲が防止される。
（ｆ）請求項６として、ロック機構によりノズルの噴霧口の向きが保持されるため、噴霧対象への噴霧剤の噴射を正確に行うことができる。
【図面の簡単な説明】
【図１】  本発明に係る噴霧装置の実施の形態（１）を示す全体の側面図である。
【図２】  図１の要部の拡大縦断面図である。
【図３】  図２の要部の動作を示す側面図である。
【図４】  図１の他の要部の拡大縦断面図である。
【図５】  図１の使用状態図である。
【図６】  図１の他の使用状態図である。
【図７】  本発明に係る噴霧装置の実施の形態（２）を示す要部の断面図である。
【図８】  本発明に係る噴霧装置の実施の形態（３）を示す要部の断面図である。
【図９】  図６の要部の動作を示す側面図である。
【符号の説明】
１  ボンベ
２  移送チューブ
３  ポール
４  ノズル
４ａ  噴射口
４ｈ  テーパ溝
５  取付座
５ｃ  テーパ溝
６  弾性部材
９  ロック機構
１１  ロック機構
【図１】
0003687878.tif 000002
【図２】
0003687878.tif 000003
【図３】
0003687878.tif 000004
【図４】
0003687878.tif 000005
【図５】
0003687878.tif 000006
【図６】
0003687878.tif 000007
【図７】
0003687878.tif 000008
【図８】
0003687878.tif 000009
【図９】
0003687878.tif 000010